【手続補正書】
【提出日】平成27年2月23日(2015.2.23)
【手続補正１】
【補正対象書類名】特許請求の範囲
【補正対象項目名】請求項７
【補正方法】変更
【補正の内容】
【請求項７】
前記発光部により発光される発光量を測定する発光量測定部を含み、
前記制御部は、
前記電力供給部が前記発光部へと供給する供給電力の電圧と、前記発光量測定部により測定された発光量とを対応付けて実測結果として記憶する実測記憶部と、
前記実測記憶部に記憶されている実測結果に基づいて、所定期間の画像データにおける、前記発光部のピーク発光量に対応する電圧を推定する推定部とを含み、
前記制御部は、前記所定期間の画像データを読み込み、読み込んだ前記所定期間の前記画像データのピーク発光量に対応する電圧として前記推定部により推定された電圧で、前記所定の期間において、前記発光部に電力を供給するように、前記電力供給部を制御する
請求項１に記載の画像出力装置。
【手続補正２】
【補正対象書類名】特許請求の範囲
【補正対象項目名】請求項８
【補正方法】変更
【補正の内容】
【請求項８】
前記制御部が、起動時に、最低電圧から最高電圧まで、所定の電圧間隔で、前記発光部に供給する電力の電圧を変化させながら、前記発光部に電力を供給するように前記電力供給部を制御するとき、前記発光部に供給される電力の、それぞれの電圧に対応づけて、前記発光量測定部により測定される発光量を記憶する調整記憶部とをさらに含み、
前記推定部は、前記調整記憶部に記憶されている情報、および前記実測記憶部に記憶されている実測結果に基づいて、前記所定期間の画像データにおける、前記発光部のピーク発光量に対応する電圧を推定し、
前記制御部は、前記所定期間の画像データを読み込み、読み込んだ前記所定期間の前記画像データのピーク発光量に対応する電圧として前記推定部により推定された電圧で、前記所定の期間において、前記発光部に電力を供給するように、前記電力供給部を制御する
請求項７に記載の画像出力装置。
【手続補正３】
【補正対象書類名】特許請求の範囲
【補正対象項目名】請求項１６
【補正方法】変更
【補正の内容】
【請求項１６】
前記電子回路は、
前記発光部により発光される発光量を測定する発光量測定部をさらに接続し、
前記制御部は、
前記電力供給部が前記発光部へと供給する供給電力の電圧と、前記発光量測定部により測定された発光量とを対応付けて実測結果として記憶する実測記憶部と、
前記実測記憶部に記憶されている実測結果に基づいて、所定期間の画像データにおける、前記発光部のピーク発光量に対応する電圧を推定する推定部とを含み、
前記制御部は、前記所定期間の画像データを読み込み、読み込んだ前記所定期間の前記画像データのピーク発光量に対応する電圧として前記推定部により推定された電圧で、前記所定の期間において、前記発光部に電力を供給するように、前記電力供給部を制御する
請求項１３に記載の電子回路。
【手続補正４】
【補正対象書類名】明細書
【補正対象項目名】００１５
【補正方法】変更
【補正の内容】
【００１５】
前記発光部により発光される発光量を測定する発光量測定部を含ませるようにすることができ、前記制御部には、前記電力供給部が前記発光部へと供給する供給電力の電圧と、前記発光量測定部により測定された発光量とを対応付けて実測結果として記憶する実測記憶部と、前記実測記憶部に記憶されている実測結果に基づいて、所定期間の画像データにおける、前記発光部のピーク発光量に対応する電圧を推定する推定部とを含ませるようにすることができ、前記制御部には、前記所定期間の画像データを読み込み、読み込んだ前記所定期間の前記画像データのピーク発光量に対応する電圧として前記推定部により推定された電圧で、前記所定の期間において、前記発光部に電力を供給するように、前記電力供給部を制御させるようにすることができる。
【手続補正５】
【補正対象書類名】明細書
【補正対象項目名】００１６
【補正方法】変更
【補正の内容】
【００１６】
前記制御部が、起動時に、最低電圧から最高電圧まで、所定の電圧間隔で、前記発光部に供給する電力の電圧を変化させながら、前記発光部に電力を供給するように前記電力供給部を制御するとき、前記発光部に供給される電力の、それぞれの電圧に対応づけて、前記発光量測定部により測定される発光量を記憶する調整記憶部とをさらに含ませるようにすることができ、前記推定部には、前記調整記憶部に記憶されている情報、および前記実測記憶部に記憶されている実測結果に基づいて、前記所定期間の画像データにおける、前記発光部のピーク発光量に対応する電圧を推定させるようにすることができ、前記制御部には、前記所定期間の画像データを読み込み、読み込んだ前記所定期間の前記画像データのピーク発光量に対応する電圧として前記推定部により推定された電圧で、前記所定の期間において、前記発光部に電力を供給するように、前記電力供給部を制御させるようにすることができる。
【手続補正６】
【補正対象書類名】明細書
【補正対象項目名】００２４
【補正方法】変更
【補正の内容】
【００２４】
前記電子回路には、前記発光部により発光される発光量を測定する発光量測定部をさらに接続させるようにすることができ、前記制御部には、前記電力供給部が前記発光部へと供給する供給電力の電圧と、前記発光量測定部により測定された発光量とを対応付けて実測結果として記憶する実測記憶部と、前記実測記憶部に記憶されている実測結果に基づいて、所定期間の画像データにおける、前記発光部のピーク発光量に対応する電圧を推定する推定部とを含ませるようにすることができ、前記制御部には、前記所定期間の画像データを読み込み、読み込んだ前記所定期間の前記画像データのピーク発光量に対応する電圧として前記推定部により推定された電圧で、前記所定の期間において、前記発光部に電力を供給するように、前記電力供給部を制御させるようにすることができる。
【手続補正７】
【補正対象書類名】明細書
【補正対象項目名】００２９
【補正方法】変更
【補正の内容】
【００２９】
【図１】本技術を適用したプロジェクション装置の一実施の形態の構成例を示す図である。
【図２】図１のプロジェクション装置によるラスタースキャンを説明する図である。
【図３】図１のプロジェクション装置によるラスタースキャンを説明する図である。
【図４】図１のコントローラの構成例を説明する図である。
【図５】本技術を適用したプロジェクション装置の電源制御機構の第１の実施の形態の構成例を示す図である。
【図６】図５の電源制御機構によるキャリブレーション処理を説明するフローチャートである。
【図７】図５の電源制御機構によるキャリブレーション処理によるキャリブレーション結果を説明する図である。
【図８】図５の電源制御機構による出力電圧制御処理を説明するフローチャートである。
【図９】図５の電源制御機構による出力電圧制御処理を説明する図である。
【図１０】従来の電源制御機構による出力電圧制御処理を説明する図である。
【図１１】図５の電源制御機構による出力電圧制御処理を説明する図である。
【図１２】本技術を適用したプロジェクション装置の電源制御機構の第２の実施の形態の構成例を示す図である。
【図１３】図１２の電源制御機構によるキャリブレーション処理を説明するフローチャートである。
【図１４】図１２の電源制御機構による出力電圧制御処理を説明するフローチャートである。
【図１５】図１２の電源制御機構による出力電圧制御処理を説明する図である。
【図１６】本技術を適用したプロジェクション装置の電源制御機構の第３の実施の形態の構成例を示す図である。
【図１７】図１６の電源制御機構による出力電圧制御処理を説明するフローチャートである。
【図１８】汎用のパーソナルコンピュータの構成例を説明する図である。
【手続補正８】
【補正対象書類名】明細書
【補正対象項目名】００３５
【補正方法】変更
【補正の内容】
【００３５】
ミラードライバ２３は、画像１２の水平方向にレーザー光線をスキャンさせるために、走査ミラー２７Ｈの共振周波数に基づいた水平スキャン信号を生成して、走査ミラー２７Ｈに供給する。また、ミラードライバ２３は、画像１２の垂直方向にレーザー光線をスキャンさせるための垂直スキャン信号を生成して、走査ミラー２７Ｖに供給する。さらに、ミラードライバ２３は、走査ミラー２７Ｈおよび２７Ｖにより反射されたレーザー光線の一部を検出する受光部を備えている。そして、ミラードライバ２３は、受光部の検出結果に基づいて水平スキャン信号および垂直スキャン信号を調整したり、受光部の検出結果に従った検出信号をコントローラ２１にフィードバックしたりする。ビームスプリッタ２７Ｓは、走査ミラー２７Ｈにより反射されたレーザー光線の一部をパワーモニタ３０に反射する。
【手続補正９】
【補正対象書類名】明細書
【補正対象項目名】００９５
【補正方法】変更
【補正の内容】
【００９５】
以上の処理により、例えば、図９で示されるように電源２９より出力される出力電圧Ｖｏが制御される。すなわち、時刻ｔ０乃至ｔ２において、Ｆｒａｍｅ１で示される第１フレームの画像信号が供給される場合、図中の上段で示されるレーザー発光量（レーザーダイオードＬＤの発光により測定される発光量）のうち、ピーク発光量は発光量Ｗａとなる。そこで、図中下段で示されるように、第１フレームが表示される時刻ｔ０乃至ｔ１においては、発光量Ｗａに対応する出力電圧Ｖａの電力が電源２９からレーザーダイオードＬＤに印加される。さらに、第１フレームの画像信号の出力が完了する時刻ｔ１において、次のフレームであるＦｒａｍｅ２で示される第２フレームの画像信号が読み込まれる。
【手続補正１０】
【補正対象書類名】明細書
【補正対象項目名】０１０１
【補正方法】変更
【補正の内容】
【０１０１】
これに対して、図８のフローチャートを参照して説明したような出力電圧制御処理がなされることにより、図１１で示されるように、電源２９より出力される電力の出力電圧Ｖｏは、各フレーム単位で必要とされるピーク発光量に対応する出力電圧Ｖｏとなるように可変電源電圧とされている。このように、電源２９より供給される電力が、フレーム単位でのピーク発光量に対応した出力電圧Ｖｏとなるように可変電源電圧とされることで、固定電源電圧とされることで発生する余剰電力が、抑制されることとなる。結果として、電源２９よりレーザーダイオードＬＤに供給される電力を省電力化することが可能となる。すなわち、図１１における余剰電力を示す縞模様の領域は、図１０で示される場合よりも小さくなっており、省電力化が実現されている。
【手続補正１１】
【補正対象書類名】明細書
【補正対象項目名】０１１２
【補正方法】変更
【補正の内容】
【０１１２】
ステップＳ５６において、電源管理部８１は、所定値だけ出力電圧Ｖｏを上昇させて、電源２９よりレーザーダイオードＬＤに出力させて、処理は、ステップＳ５３に戻る。
【手続補正１２】
【補正対象書類名】明細書
【補正対象項目名】０１１４
【補正方法】変更
【補正の内容】
【０１１４】
そして、ステップＳ５５において、出力電圧Ｖｏが最高電圧であると見なされた場合、処理はステップＳ５１に戻る。すなわち、以降において、所定時間が経過する毎にステップＳ５２乃至Ｓ５６の処理が繰り返されて、繰り返しキャリブレーション処理が繰り返されて、キャリブレーション結果が順次記憶（更新）されていく。
【手続補正１３】
【補正対象書類名】明細書
【補正対象項目名】０１５６
【補正方法】削除
【補正の内容】